(57)【特許請求の範囲】
【請求項１】
動的なキャリアモードの切替えのための無線ネットワークノード（１１０）における方法であって、
前記無線ネットワークノード（１１０）は、無線通信システムの中に含まれ、レガシーモードで動作するように構成され、非レガシーモードで動作するように構成され、当該非レガシーモードは、前記レガシーモードと後方互換性のない手段でサービスをサポートし、
前記方法は：
非レガシーモードとレガシーモードとの間で切り替わるように少なくとも１つのキャリアを動作させるステップ（６０２、６０４、７０４、７１１、８０３、８０８）と、
前記少なくとも１つのキャリアをレガシーモードで動作させる場合に、レガシーフォーマットに従って、レガシーモードでのみ動作可能なユーザ機器（１２０）とシグナリングするステップ（６０３、７０７、８０５）と、
前記少なくとも１つのキャリアを非レガシーモードで動作させる場合に、省電力化のための不連続送信を実行するステップ（６０５）と、
を含み、
前記少なくとも１つのキャリアを前記非レガシーモードで動作させる場合に、前記無線ネットワークノード（１１０）によりサービスを提供されている地理的な領域内に前記レガシーモードで動作する前記ユーザ機器（１２０）が存在することを検出するステップ（６０１）をさらに含み、
当該検出するステップ（６０１）は、前記少なくとも１つのキャリアが非レガシーモードからレガシーモードに切り替わるように当該キャリアを動作させる前記ステップ（６０２）をトリガする、
方法。
【請求項２】
非レガシーモードからレガシーモードへの前記少なくとも１つのキャリアの切替えは、周期的に実行される、請求項１に記載の方法。
【請求項３】
非レガシーモードからレガシーモードへの前記少なくとも１つのキャリアの切替えは、擬似乱数の間隔で実行される、請求項１に記載の方法。
【請求項４】
複数のコンポーネントキャリアのうちの１つのコンポーネントキャリアはアンカーキャリアであり、
前記少なくとも１つのキャリアは、前記複数のコンポーネントキャリアにより表され、
前記複数のコンポーネントキャリアのうちの少なくとも１つが非レガシーモードからレガシーモードに切り替わるように前記複数のコンポーネントキャリアを動作させる前記ステップ（６０２、７０４、８０３）、および、前記複数のコンポーネントキャリアのうちの少なくとも１つがレガシーモードから非レガシーモードに切り替わるように前記複数のコンポーネントキャリアの各々を動作させるステップ（６０４、７１１、８０８）は、前記アンカーキャリアが、レガシーモードで動作し、１秒あたり１ｍｓ間だけ非レガシーモードに切り替えられるように、実行される、
請求項１から３のいずれかに記載の方法。
【請求項５】
動的なキャリアモードの切替えのための無線ネットワークノード（１１０）における方法であって、
前記無線ネットワークノード（１１０）は、無線通信システムの中に含まれ、レガシーモードで動作するように構成され、非レガシーモードで動作するように構成され、当該非レガシーモードは、前記レガシーモードと後方互換性のない手段でサービスをサポートし、
前記方法は：
非レガシーモードとレガシーモードとの間で切り替わるように少なくとも１つのキャリアを動作させるステップ（６０２、６０４、７０４、７１１、８０３、８０８）と、
前記少なくとも１つのキャリアをレガシーモードで動作させる場合に、レガシーフォーマットに従って、レガシーモードでのみ動作可能なユーザ機器（１２０）とシグナリングするステップ（６０３、７０７、８０５）と、
前記少なくとも１つのキャリアを非レガシーモードで動作させる場合に、省電力化のための不連続送信を実行するステップ（６０５）と、
を含み、
前記少なくとも１つのキャリアは、複数のコンポーネントキャリアにより表され、
前記複数のコンポーネントキャリアのうちの少なくとも１つが非レガシーモードからレガシーモードに切り替わるように、前記複数のコンポーネントキャリアを動作させる（６０２）ステップ、および、前記複数のコンポーネントキャリアのうちの少なくとも１つがレガシーモードから非レガシーモードに切り替わるように、前記複数のコンポーネントキャリアの各々を動作させるステップ（６０４）は、前記複数のコンポーネントキャリアのうちの少なくとも１つのコンポーネントキャリアが常にレガシーモードで動作するように実行され、
複数のコンポーネントキャリアは、第１の帯域幅のコンポーネントキャリアおよび第２のコンポーネントキャリアを含み、
前記方法は、
前記第１の帯域幅のコンポーネントキャリアをレガシーモードで動作させるステップ（７０１）と、
前記第２のコンポーネントキャリアを非レガシーモードで動作させるステップ（７０２）と、
レガシーモードで動作する前記第１の帯域幅のコンポーネントキャリアに前記ユーザ機器（１２０）が入ることを検出するステップ（７０３）と、
少なくとも１つのキャリアが非レガシーモードからレガシーモードに切り替わるように当該キャリアを動作させる前記ステップ（６０２）は、レガシーモードで動作する前記第１の帯域幅のコンポーネントキャリアに前記ユーザ機器（１２０）が入ることが検出される場合に、前記第２のコンポーネントキャリアがレガシーモードに切り替わるように当該第２のコンポーネントキャリアを動作させる（７０４）ことによって実行されることと、
前記第１の帯域幅のコンポーネントキャリアから、レガシーモードに切替えられた前記第２のコンポーネントキャリアへのハンドオーバを、前記ユーザ機器（１２０）が実行するように、当該ユーザ機器（１２０）にサービスを提供するステップ（７０６）と、
をさらに含む、方法。
【請求項６】
非レガシーモードからレガシーモードへの前記少なくとも１つのキャリアの切替えは、周期的に実行される、請求項５に記載の方法。
【請求項７】
非レガシーモードからレガシーモードへの前記少なくとも１つのキャリアの切替えは、擬似乱数の間隔で実行される、請求項５に記載の方法。
【請求項８】
複数のコンポーネントキャリアのうちの１つのコンポーネントキャリアはアンカーキャリアであり、
前記少なくとも１つのキャリアは、前記複数のコンポーネントキャリアにより表され、
前記複数のコンポーネントキャリアのうちの少なくとも１つが非レガシーモードからレガシーモードに切り替わるように前記複数のコンポーネントキャリアを動作させる前記ステップ（６０２、７０４、８０３）、および、前記複数のコンポーネントキャリアのうちの少なくとも１つがレガシーモードから非レガシーモードに切り替わるように前記複数のコンポーネントキャリアの各々を動作させるステップ（６０４、７１１、８０８）は、前記アンカーキャリアが、レガシーモードで動作し、１秒あたり１ｍｓ間だけ非レガシーモードに切り替えられるように、実行される、
請求項５〜７のいずれか１項に記載の方法。
【請求項９】
ハンドオーバを実行する前記ユーザ機器（１２０）にサービスを提供した後に実行されるさらなるステップ、すなわち：
前記第１の帯域幅のコンポーネントキャリアが非レガシーモードに切り替わるように当該第１の帯域幅のコンポーネントキャリアを動作させるステップ（７０５）
を含む、請求項５〜８のいずれか１項に記載の方法。
【請求項１０】
ハンドオーバを実行する前記ユーザ機器（１２０）にサービスを提供した後に実行されるさらなるステップ、すなわち：
前記ユーザ機器（１２０）が第２のコンポーネントキャリアをもはや必要としないことを検出するステップ（７０８）と、
前記第１の帯域幅のコンポーネントキャリアがレガシーモードに切り替わるように、当該第１の帯域幅のコンポーネントキャリアを動作させるステップ（７０９）と、
前記ユーザ機器（１２０）が前記第２のコンポーネントキャリアから前記第１の帯域幅のコンポーネントキャリアへのハンドオーバを実行するように、前記ユーザ機器（１２０）にサービスを提供するステップ（７１０）と、
前記少なくとも１つのキャリアがレガシーモードから非レガシーモードに切り替わるように、当該キャリアを動作させる前記ステップ（６０４）は、第２のコンポーネントキャリアが非レガシーモードに切り替わるように当該第２のコンポーネントキャリアを動作させる（７１１）ことによって実行されることと、
を含む、請求項５〜９のいずれか１項に記載の方法。
【請求項１１】
動的なキャリアモードの切替えのための無線ネットワークノード（１１０）における方法であって、
前記無線ネットワークノード（１１０）は、無線通信システムの中に含まれ、レガシーモードで動作するように構成され、非レガシーモードで動作するように構成され、当該非レガシーモードは、前記レガシーモードと後方互換性のない手段でサービスをサポートし、
前記方法は：
非レガシーモードとレガシーモードとの間で切り替わるように少なくとも１つのキャリアを動作させるステップ（６０２、６０４、７０４、７１１、８０３、８０８）と、
前記少なくとも１つのキャリアをレガシーモードで動作させる場合に、レガシーフォーマットに従って、レガシーモードでのみ動作可能なユーザ機器（１２０）とシグナリングするステップ（６０３、７０７、８０５）と、
前記少なくとも１つのキャリアを非レガシーモードで動作させる場合に、省電力化のための不連続送信を実行するステップ（６０５）と、
を含み、
前記無線ネットワークノード（１１０）はマイクロセル（１５２）にサービスを提供し、当該マイクロセル（１５２）はマクロセル（１５５）により包含され、
前記方法は、
前記マイクロセル（１５２）内の少なくとも１つのコンポーネントキャリアを非レガシーモードで動作させるステップ（８０１）と、
前記ユーザ機器（１２０）が前記マクロセル（１５５）内のキャリアに入るという情報を取得し、または前記ユーザ機器（１２０）が前記マクロセル（１５５）内のキャリアに入ることを検出するステップ（８０２）と、
少なくとも１つのキャリアが非レガシーモードからレガシーモードに切り替わるように当該キャリアを動作させる前記ステップ（６０２）は、前記ユーザ機器（１２０）が前記マクロセル（１５５）内のキャリアに入るという情報が取得され、または前記ユーザ機器（１２０）が前記マクロセル（１５５）内のキャリアに入ることが検出される場合に、前記マイクロセル内の前記少なくとも１つのコンポーネントキャリアが非レガシーモードからレガシーモードに切り替わるように当該コンポーネントキャリアを動作させる（８０３）ことによって実行されることと、
前記マクロセル（１５５）から、レガシーモードに切り替えられた前記マイクロセル（１５２）へのハンドオーバを、前記ユーザ機器（１２０）が実行するように、当該ユーザ機器（１２０）にサービスを提供するステップ（８０４）と、
をさらに含む、方法。
【請求項１２】
非レガシーモードからレガシーモードへの前記少なくとも１つのキャリアの切替えは、周期的に実行される、請求項１１に記載の方法。
【請求項１３】
非レガシーモードからレガシーモードへの前記少なくとも１つのキャリアの切替えは、擬似乱数の間隔で実行される、請求項１１に記載の方法。
【請求項１４】
前記ユーザ機器（１２０）が前記マクロセル（１５５）内のキャリアに入るという情報を取得する前記ステップ（８０２）は、前記マクロセル（１５５）にサービスを提供する第２のネットワークノード（１６０）からの要求を受信することによって実行され、
前記要求は、前記マイクロセル（１５２）にレガシー動作を求める、
請求項１１〜１３のいずれか１項に記載の方法。
【請求項１５】
ハンドオーバを実行する前記ユーザ機器（１２０）にサービスを提供した後に実行されるさらなるステップ、すなわち：
前記ユーザ機器（１２０）が前記マイクロセルからのサポートをもはや必要としないことを検出するステップ（８０６）と、
前記ユーザ機器（１２０）が前記マイクロセル（１５２）から前記マクロセル（１５５）へのハンドオーバを実行するように、当該ユーザ機器（１２０）にサービスを提供するステップ（８０７）と、
前記少なくとも１つのキャリアが前記レガシーモードから前記非レガシーモードに切り替わるように、当該キャリアを動作させる前記ステップ（６０４）は、前記マイクロセル内の前記少なくとも１つのコンポーネントキャリアが前記レガシーモードから前記非レガシーモードに切り替わるように当該コンポーネントキャリアを動作させる（８０８）ことによって、実行されることと、
を含む、請求項１１〜１４のいずれか１項に記載の方法。
【請求項１６】
動的なキャリアモードの切替えのための無線ネットワークノード（１１０）内の構成（９００）であって、
前記無線ネットワークノード（１１０）は、無線通信システムの中に含まれ、レガシーモードで動作するように構成され、非レガシーモードで動作するように構成され、当該非レガシーモードは、前記レガシーモードと後方互換性のない手段でサービスをサポートし、
前記無線ネットワークノードの構成（９００）は：
非レガシーモードとレガシーモードとの間で切り替わるように少なくとも１つのキャリアを動作させるように構成される動作部（９１０）と、
前記少なくとも１つのキャリアを前記レガシーモードで動作させる場合に、レガシーフォーマットに従って、レガシーモードでのみ動作可能なユーザ機器（１２０）とシグナリングするように構成されるシグナリング部（９２０）と、
を備え、
前記動作部（９１０）は、前記少なくとも１つのキャリアを前記非レガシーモードで動作させる場合に省電力化のための不連続送信を実行するようにさらに構成され、
前記前記無線ネットワークノードの構成（９００）は、
前記少なくとも１つのキャリアを前記非レガシーモードで動作させる場合に、前記無線ネットワークノード（１１０）によりサービスを提供されている地理的な領域内に前記レガシーモードで動作する前記ユーザ機器（１２０）が存在することを検出するように構成される検出部（９３０）
をさらに備え、
当該検出は、前記動作部（９１０）が、前記少なくとも１つのキャリアが非レガシーモードからレガシーモードに切り替わるように当該キャリアを動作させるための、トリガである、
無線ネットワークノードの構成（９００）。
【請求項１７】
非レガシーモードからレガシーモードへの前記少なくとも１つのキャリアの切替えは、周期的に実行される、請求項１６に記載の無線ネットワークノードの構成（９００）。
【請求項１８】
動的なキャリアモードの切替えのための無線ネットワークノード（１１０）内の構成（９００）であって、
前記無線ネットワークノード（１１０）は、無線通信システムの中に含まれ、レガシーモードで動作するように構成され、非レガシーモードで動作するように構成され、当該非レガシーモードは、前記レガシーモードと後方互換性のない手段でサービスをサポートし、
前記無線ネットワークノードの構成（９００）は：
非レガシーモードとレガシーモードとの間で切り替わるように少なくとも１つのキャリアを動作させるように構成される動作部（９１０）と、
前記少なくとも１つのキャリアを前記レガシーモードで動作させる場合に、レガシーフォーマットに従って、レガシーモードでのみ動作可能なユーザ機器（１２０）とシグナリングするように構成されるシグナリング部（９２０）と、
を備え、
前記動作部（９１０）は、前記少なくとも１つのキャリアを前記非レガシーモードで動作させる場合に省電力化のための不連続送信を実行するようにさらに構成され、
前記少なくとも１つのキャリアは、複数のコンポーネントキャリアにより表され、
前記動作部は、前記複数のコンポーネントキャリアのうちの少なくとも１つのコンポーネントキャリアが常にレガシーモードで動作するように、前記複数のコンポーネントキャリアの各々を動作させるように構成され、
複数のコンポーネントキャリアは、第１の帯域幅のコンポーネントキャリアおよび第２のコンポーネントキャリアを含み、
前記無線ネットワークノードの構成（９００）は、
レガシーモードで動作する前記第１の帯域幅のコンポーネントキャリアに前記ユーザ機器（１２０）が入ることを検出するように構成される検出部（９３０）
をさらに備え、
前記動作部（９１０）は、前記第１の帯域幅のコンポーネントキャリアをレガシーモードで動作させ、前記第２のコンポーネントキャリアを非レガシーモードで動作させる場合に、レガシーモードで動作する前記第１の帯域幅のコンポーネントキャリアに前記ユーザ機器（１２０）が入ることが検出されると、前記第２のコンポーネントキャリアがレガシーモードに切り替わるように当該第２のコンポーネントキャリアを動作させるように構成され、
前記無線ネットワークノードの構成（９００）は、
前記第１の帯域幅のコンポーネントキャリアから、レガシーモードに切替えられた前記第２のコンポーネントキャリアへのハンドオーバを、前記ユーザ機器（１２０）が実行するように、当該ユーザ機器（１２０）にサービスを提供するように構成されるサービス提供部（９４０）
をさらに備える、無線ネットワークノードの構成（９００）。
【請求項１９】
動的なキャリアモードの切替えのための無線ネットワークノード（１１０）内の構成（９００）であって、
前記無線ネットワークノード（１１０）は、無線通信システムの中に含まれ、レガシーモードで動作するように構成され、非レガシーモードで動作するように構成され、当該非レガシーモードは、前記レガシーモードと後方互換性のない手段でサービスをサポートし、
前記無線ネットワークノードの構成（９００）は：
非レガシーモードとレガシーモードとの間で切り替わるように少なくとも１つのキャリアを動作させるように構成される動作部（９１０）と、
前記少なくとも１つのキャリアを前記レガシーモードで動作させる場合に、レガシーフォーマットに従って、レガシーモードでのみ動作可能なユーザ機器（１２０）とシグナリングするように構成されるシグナリング部（９２０）と、
を備え、
前記動作部（９１０）は、前記少なくとも１つのキャリアを前記非レガシーモードで動作させる場合に省電力化のための不連続送信を実行するようにさらに構成され、
前記無線ネットワークノード（１１０）はマイクロセル（１５２）にサービスを提供し、当該マイクロセル（１５２）はマクロセル（１５５）により包含され、
前記無線ネットワークノードの構成（９００）は、
前記ユーザ機器（１２０）が前記マクロセル（１５５）内のキャリアに入るという情報を取得し、または前記ユーザ機器（１２０）が前記マクロセル（１５５）内のキャリアに入ることを検出するように構成される検出部（９３０）
をさらに備え、
前記動作部（９１０）は、前記マイクロセル（１５２）内の少なくとも１つのコンポーネントキャリアを非レガシーモードで動作する場合に、前記ユーザ機器（１２０）が前記マクロセル（１５５）内のキャリアに入るという情報が取得され、または前記ユーザ機器（１２０）が前記マクロセル（１５５）内のキャリアに入ることが検出されると、前記マイクロセル内の前記少なくとも１つのコンポーネントキャリアが非レガシーモードからレガシーモードに切り替わるように当該コンポーネントキャリアを動作させるように構成され、
前記無線ネットワークノードの構成（９００）は、
前記マクロセル（１５５）から、レガシーモードに切り替えられた前記マイクロセル（１５２）へのハンドオーバを、前記ユーザ機器（１２０）が実行するように、当該ユーザ機器（１２０）にサービスを提供するように構成されるサービス提供部（９４０）
をさらに備える、無線ネットワークノードの構成（９００）。
【発明の詳細な説明】
【技術分野】
【０００１】
本発明は、無線通信ネットワークノードにおける方法および構成に関する。とりわけ、本発明は、動的なモードの切替えによるエネルギー効率の向上に関する。
【背景技術】
【０００２】
無線通信システムとも呼ばれる典型的なセルラーシステムでは、移動局および／またはユーザ機器ユニット（ＵＥ）としても知られる無線端末が、無線アクセスネットワーク（ＲＡＮ）を介して１つ以上のコアネットワークに通信する。無線端末は、「セルラー方式」電話としても知られるモバイル電話、およびモバイル端末等の無線のケイパビリティを伴うラップトップ等の移動局またはユーザ機器ユニットであってもよい。したがって、無線端末は、例えば、携帯用の、小型の、手持ちできる、コンピュータに含まれる、または車載のモバイル装置であって、無線アクセスネットワークで音声および／またはデータを伝達するモバイル装置であってもよい。
【０００３】
無線アクセスネットワークは、無線基地局（ＲＢＳ）等の基地局が各セルエリアにサービスを提供するようにしながら、セル領域に分割される地理的な領域をカバーする。上記基地局は、いくつかのネットワークでは、「Ｎｏｄｅ  Ｂ」または「Ｂ  ｎｏｄｅ」とも呼ばれ、また本明細書では基地局と呼ばれる。セルは、基地局サイトにおける無線基地局装置により無線カバレッジが提供される地理的な領域である。各セルは、ローカル無線領域内でＩＤ（identity）により識別され、当該ＩＤは、セル内でブロードキャストされる。基地局は、無線周波数上で動作するエアインターフェースを通して、当該基地局の範囲内のユーザ機器ユニットと通信する。
【０００４】
無線アクセスネットワークのいくつかのバージョンでは、いくつかの基地局は、例えば、陸上通信線またはマイクロ波により、典型的には無線ネットワークコントローラ（ＲＮＣ）に接続される。基地局コントローラ（ＢＳＣ）とも呼ばれることがある無線ネットワークコントローラは、接続される複数の基地局の様々なアクティビティを監視し、調整する。無線ネットワークコントローラは、典型的には１つ以上のコアネットワークに接続される。
【０００５】
ＵＭＴＳ（Universal  Mobile  Telecommunications  System）は、ＧＳＭ（Global  System  for  Mobile  Communications）から進化した第３世代移動通信システムであり、広帯域符号分割多元接続（Wideband  Code  Division  Multiple  Access：WCDMA）のアクセス技術に基づいて、改善された移動通信サービスを提供することを目的としている。ＵＴＲＡＮ（UMTS  Terrestrial  Radio  Access  Network）は、基本的に、ユーザ機器（ＵＥ）について広帯域符号分割多元接続を使用する無線アクセスネットワークである。第３世代パートナーシッププロジェクト（３ＧＰＰ）は、ＵＴＲＡＮおよびＧＳＭに基づく無線アクセスネットワーク技術をさらに進化させることを引き受けている。
【０００６】
「環境にやさしい」ことは、すぐに、まさにマーケティングの誇大広告から顧客にとっての重要要件になった。これは、今日社会におけるほとんど全ての分野について真実であり、通信市場は例外ではない。人々は、我々の炭素に基づく経済がもはや持続可能ではないことに気づき始めるので、世界は、今日世界的なエネルギー危機に直面している。未来の持続可能な経済の重要な部分となるであろう２つの領域は、省電力化および通信である。省電力化は、大気への二酸化炭素の排出を減らす、圧倒的に最も迅速かつ経済的な手段である。また、通信は、人々およびサービスの物理的な移動の必要性をかなり減らすことができる。第３世代パートナーシッププロジェクト（３ＧＰＰ）では、３ＧＰＰの用語ではＬＴＥ  リリース８を示す３Ｇ  ＬＴＥ（Long  Term  Evolution）システムの最初のリリースでの研究は、２００８年の間に最終化された。（ＬＴＥ  リリース９およびＬＴＥ  リリース１０を示す）次のリリースの仕様は、それぞれ２００９年および２０１０年に入手可能であると見込まれている。ＬＴＥ  リリース８では、最大帯域幅が２０ＭＨｚである。一方、リリース１０では、最大１００ＭＨｚの総帯域幅をもたらす複数のコンポーネントキャリアの集約（aggregation）へのサポートが、仕様化されると見込まれている。リリース８のＬＴＥシステムおよび後のリリースのＬＴＥシステムは全て、電力を消費する。
【発明の概要】
【０００７】
したがって、より省電力化する基地局の動作を可能にするメカニズムを提供することが、本ソリューションの目的である。
【０００８】
本発明の第１の形態によれば、上記目的は、動的なキャリアモードの切替えのための無線ネットワークノードにおける方法によって達成される。上記無線ネットワークノードは、無線通信システムの中に含まれる。上記無線ネットワークノードは、レガシーモードで動作するように構成され、非レガシーモードで動作するようにさらに構成される。
【０００９】
少なくとも１つのキャリアが、非レガシーモードからレガシーモードに切り替わるように動作させられる。上記キャリアを前記レガシーモードで動作させる場合に、上記無線ネットワークノードは、レガシーモードのフォーマットに従ってユーザ機器とシグナリングする。上記ユーザ機器は、レガシーモードで動作するが、非レガシーモードで動作できない。そして、無線ネットワークノードは、上記少なくとも１つのキャリアがレガシーモードから非レガシーモードに切り替わるように、当該キャリアを動作させる
【００１０】
本発明の第２の形態によれば、上記目的は、動的なキャリアモードの切替えのための無線ネットワークノードにおける構成により達成される。上記無線ネットワークノード１１０は、無線通信システムの中に含まれる。上記無線ネットワークノードは、レガシーモードで動作するように構成され、非レガシーモードで動作するようにさらに構成される。無線ネットワークノードの構成は、少なくとも１つのキャリアが非レガシーモードからレガシーモードに切り替わるように当該キャリアを動作させ、上記少なくとも１つのキャリアがレガシーモードから非レガシーモードに切り替わるように当該キャリアを動作させるように構成される動作部、を備える。
【００１１】
無線ネットワークノードの構成は、上記キャリアを上記レガシーモードで動作させる場合に、レガシーフォーマットに従ってユーザ機器とシグナリングするように構成されるシグナリング部、をさらに備える。上記ユーザ機器は、レガシーモードで動作するが、非レガシーモードで動作できない。
【００１２】
いくつかの実施形態では、無線ネットワークノードは、基地局であってもよく、または、無線ネットワークコントローラ若しくは基地局コントローラ等の、基地局に接続されるコントローラノードであってもよい。いくつかの実施形態では、上記非レガシーモードは、上記レガシーモードと後方互換性のない手段でサービスをサポートする。サービスは、省電力化のための基地局でのＤＴＸにより表されてもよい。当該基地局でのＤＴＸは、少なくとも１つのキャリアを非レガシーモードで動作させる場合に実行される。
【００１３】
少なくとも１つのキャリアが、例えば基地局でのＤＴＸをより良好に可能にするように強化された非レガシーモードと、この強化の特徴を伴わないレガシーモードとの間で切替え可能であり、また、キャリアがレガシーモードで動作する場合に無線ネットワークノードはレガシーユーザ機器とシグナリングするので、レガシーユーザ機器は、新たな強化され互換性のない機能性が無線ネットワークノードに導入された後であっても、アップグレードしたネットワークの中で機能し続けることができる。そして、これは、ＤＴＸのようなより良好な省電力化する基地局の動作を可能にするメカニズムが提供されることを示す。
【００１４】
本発明の利点は、無線ネットワークノードが非レガシーモードで動作している場合に、省電力化する基地局でのＤＴＸを実行できることである。
【００１５】
また、同一の切替えのメカニズムを使用して、アドバンスドアンテナ（advanced  antenna）および／または協調マルチポイント送受信のためのバッテリサポート等の、非レガシーモードの全ての他の強化された特徴を可能にし得る。
【図面の簡単な説明】
【００１６】
本発明は、本発明の例示的な実施形態を説明する添付の図面を参照してより詳細に説明される。
【図１】従来技術に従った無線フレームを説明する概略的なブロック図である。
【図２】無線通信システムの実施形態を説明する概略的なブロック図である。
【図３】方法の実施形態を示す組み合せられた概略的なブロック図およびフローチャートである。
【図４】方法の実施形態を示す組み合せられた概略的なブロック図およびフローチャートである。
【図５】方法の実施形態を示す組み合せられた概略的なブロック図およびフローチャートである。
【図６】無線ネットワークノードにおける方法の実施形態を示すフローチャートである。
【図７】無線ネットワークノードにおける方法の実施形態を示すフローチャートである。
【図８】無線ネットワークノードにおける方法の実施形態を示すフローチャートである。
【図９】無線ネットワークノードの構成の実施形態を説明する概略的なブロック図である。
【発明を実施するための形態】
【００１７】
本ソリューションの一部として、まず、問題を定義し、解説する。省エネルギーの特徴を導入するために、ｅＮＢの不連続送信（ＤＴＸ）へのさらなるサポートが、ＬＴＥ  リリース１０では求められる。いくつかの異なる種類のダウンリンクＤＴＸを考えることができる。ＬＴＥとの関係で、３種類のダウンリンク（ＤＬ）のＤＴＸモードを定義することができる。短いＤＴＸは、完全にＬＴＥリリース８との後方互換性のあるＤＴＸとして定義されることが可能である。基本的に、短い（short）ＤＬ  ＤＴＸは、いずれのセル固有のリファレンスシンボルも送信される必要がない１つまたは少数のＯＦＤＭシンボルに限定される。中間の（medium）ＤＴＸは、リリース８との後方互換性のないＤＴＸとして定義されることが可能である。例えば、ＤＴＸの期間がサブフレーム（１ｍｓ）よりも長いが無線フレーム（１０ｍｓ）よりも短い。十分に長い（long）ＤＴＸは、キャリアをリリース１０のＵＥにも見えなくするＤＴＸ期間として定義されることが可能である。たとえば、ＤＴＸ期間が１つまたはいくつかの無線フレームと等しい。長いＤＬ  ＤＴＸは、ｅＮＢのスリープも示し得る。
【００１８】
一見すると、ＬＴＥ  リリース１０において中間のまたは長いｅＮＢのＤＴＸへのサポートを導入することが、むしろ率直であるように見える。図１は、７２個の中央のサブキャリアを伴うＬＴＥ無線フレームを示す。当該ＬＴＥ無線フレームは、サブキャリア番号１、２、３、４、６、７、８および９における４ｍｓのｅＮＢのＤＴＸを導入する。例えば、ＬＴＥ  リリース１０の仕様はわずかに変更されて、それにより、ユーザプレーンのデータトラフィックがほとんどないまたはない場合に、ｅＮＢが各サブフレーム内でセル固有のリファレンスシンボル（Cell  Specific  Reference  Symbol：ＣＳＲＳ）を送信しなくてもよいようになり得る。この例では、ＣＳＲＳは、サブフレーム０および５においてのみ必須であってもよく、ここでは、プライマリ同期信号（Primary  Synchronization  Signal：ＰＳＳ）およびセカンダリ同期信号（Secondary  Synchronization  Signal：SSS）並びにブロードキャストチャネル（ＢＣＨ）も送信される。ＣＳＲＳも、システム情報ブロック（ＳＩＢ）を搬送するこれらのサブフレームの中で送信される必要がある。ＳＩＢ１は、各無線フレームの５番目のサブフレームの中で送信され、ｘ＞２であるＳＩＢｘは、より低いデューティサイクル（duty  cycle）で構成可能である。これを可能にするために、例えば、標準が仕様化するＵＥの振るまいが変更されて、ＵＥは、サブフレーム０および５の期間に移動度測定を実行することのみを可能にされてもよい。
【００１９】
ＣＳＲＳが各サブフレームで送信されないという事実は、チャネル品質指標（ＣＱＩ）の測定にも影響し得る。しかしながら、リリース８では既に、ＣＱＩの測定がいつ実行されるかを特定することができる。リリース８では、ＣＱＩを報告するようにＵＥがスケジュールされる４サブフレーム前に、ＣＱＩの測定が実行される。ＣＱＩ推定値の時間領域フィルタリングは、ＵＥにおいて実行されない。このメカニズムがリリース１０のためにも十分であるか、またはいくつかのさらなる柔軟性が求められるかを、再考することが必要であり得る。
【００２０】
ＵＥは、サブフレーム０および５以外のサブフレームでＣＱＩを測定する場合に、ｅＮＢは全てのリソースブロックでＣＳＲＳを常には送信しないかもしれないので、いずれかの周波数相関があると仮定することができない。代わりに、ＵＥは、ｅＮＢがＵＥからのいずれのＣＱＩ報告も必要としないという標識として、「全て０のＣＱＩ」の測定を検出できる。
【００２１】
ＵＥのチャネル推定にも影響する。（リソースブロックがサブフレーム０および５に隣接する場合を除き）ＵＥはリソースブロック間の時間および周波数の相関を利用できないので、チャネル推定の精度にわずかな悪化が見込まれる。しかしながら、これは、既に、いくつかのサブフレームがＵＬサブフレームであるので全てのサブフレーム間における挿入を行うことができないＴＤＤについてのケースである。したがって、これは根本的な問題ではない。
【００２２】
図１に概説されたソリューションの多数の代替手段がある。ＵＥの移動度測定は、以下に限定されることが可能である。
−中央の６つのリソースブロック、および／または
−単一のアンテナポート（例えば、アンテナポート０）および／または
−ＰＳＳ信号およびＳＳＳ信号のみ、および／または
−サブフレーム０のみ、すなわち図１のようにサブフレーム０および５の両方ではない
【００２３】
さらなる非レガシーのＬＴＥのリリース（例えば、リリース１０）が、後方互換性のない拡張キャリアについてのリファレンスシンボルの新たなセットを定義することも、可能である。３ＧＰＰにおける最新の検討は、リファレンスシンボルの２つの新たなセット、すなわち復調リファレンスシンボル（ＤＭ−ＲＳ）およびチャネル状態情報リファレンスシンボル（ＣＳＩ−ＲＳ）に言及する。新たなリファレンスシンボル（例えば、上記ＤＭ−ＲＳまたはＣＳＩ−ＲＳの移動度測定のリファレンス信号の新たなセット）が定義される場合に、ＵＥの移動度測定は、新たなリファレンスシンボルのサブセット上で定義され得る。
【００２４】
ＤＴＸの期間が４ｍｓよりも長くなることを可能にするために、ＬＴＥ  リリース９またはＬＴＥ  リリース１０のためにｅＮＢのスリープモードも定義されることを想像することができる。周期的に、スリープするｅＮＢは、例えば５０ｍｓのような短いアクティブな期間に、セルを測定しセルに属するためにＵＥに必要な全ての信号、すなわちＰＳＳ、ＳＳＳ、ＢＣＨ、ＳＩＢ１、ＳＩＢ２、ＣＳＲＳを送信できる。アクティブな期間に続いて、例えば４５０ｍｓのような非常に長いアクティブではない期間がある。当該アクティブでない期間では、ｅＮＢから何も送信されない。このアクティブな期間は、ＬＴＥ  リリース８、またはＬＴＥ  リリース１０のような後のリリースと互換性があることが可能である。
【００２５】
上記省エネルギーのソリューションの問題は、レガシーのＬＴＥ  リリース８のＵＥが、これらの新たな省エネルギーの特徴が使用可能なセルにアクセスできない、ということである。
【００２６】
なぜなら、ＬＴＥ  リリース８のＵＥは、基地局がある信号を送信することを見込み、もしそうでなければ、全てのこれらの信号は新たな非レガシーフォーマットの中に含められ、そしてレガシーのＵＥは適切に機能しないからである。
【００２７】
したがって、ネットワークがレガシーのユーザ機器をサポートできることを同時に保証しつつ、例えばＤＴＸに基づくｅＮＢの動作またはスリープ等の、基地局における省電力化を可能にするために必要な手段を提供することが、本ソリューションのさらなる目的である。
【００２８】
図２は、無線通信システム１００を示す。当該無線通信システムは、例えば、ＬＴＥ、ＬＴＥアドバンストとしても知られるＥ−ＵＴＲＡＮ、第３世代パートナーシッププロジェクト（３ＧＰＰ）のＷＣＤＭＡシステム、ＧＳＭ／ＥＤＧＥ（Global  System  for  Mobile  communications  /  Enhanced  Data  rate  for  GSM  Evolution）、広帯域符号分割多元接続（ＷＣＤＭＡ）、ＷｉＭａｘ（Worldwide  Interoperability  for  Microwave  Access）、またはウルトラモバイルブロードバンド（ＵＭＢ）等である。無線通信システム１００は、標準化されたＬＴＥ仕様または標準化された高速パケットアクセス（ＨＳＰＡ）仕様等の、標準化された無線仕様の様々なリリースをサポートする。無線通信システム１００は、少なくとも１つのキャリアを含む無線チャネル１３０を通して互いに通信するように適合された、無線ネットワークノード１１０およびユーザ機器１２０を含む。無線ネットワークノード１１０は、セル１３５にサービスを提供する。また、無線ネットワークノード１１０は、ＮｏｄｅＢ、ｅＮｏｄｅＢ、または図２に示されるようにユーザ機器がセル１３５内に存在する場合に無線チャネル１３０を通してユーザ機器１２０と通信可能ないずれかの他のネットワーク装置等の、基地局であってもよい。無線ネットワークノード１１０は、さらに、示されていない、ＮｏｄｅＢ、ｅＮｏｄｅＢ、または無線チャネル１３０を通して端末と通信可能ないずれかの他のネットワーク装置等の、基地局に接続されるように適合された無線ネットワークコントローラまたは基地局コントローラであってもよい。ユーザ機器は、モバイル電話、携帯情報端末（ＰＤＡ）、または無線チャネルを通して基地局と通信可能ないずれかの他のネットワーク装置であってもよい。
【００２９】
無線ネットワークノード１１０は、レガシーモードで動作するように構成される。レガシーモードの動作は、標準化されたＬＴＥ仕様、または標準化された高速パケットアクセス（ＨＳＰＡ）仕様等の、標準化された無線仕様のレガシーリリースに準拠する。無線ネットワークノード１１０は、非レガシーモードで動作するようにさらに構成される。非レガシーもｄ−おは、標準化された無線仕様の非レガシーリリースに準拠する。標準化された無線仕様の非レガシーリリースは、標準化された無線仕様のレガシーリリースの後にリリースされたバージョンである。非レガシーモードは、レガシーモードと後方互換性のない手段で、例えば、基地局でのＤＴＸ、マルチアンテナ（送受信）についての拡張サポート、協調マルチポイント送受信（coordinated  multipoint  transmission  and  reception）、帯域内での無線セルフバックホーリング（self  backhauling）を伴う中継ノード、拡張ブロードキャストサービス（enhanced  broadcast  service）、等のサービスをサポートする。
【００３０】
ユーザ機器１２０は、レガシーモードで動作するが、非レガシーモードでは動作できない。
【００３１】
本ソリューションの基本概念は、少なくとも１つのキャリアがレガシーモードの動作と非レガシーモードの動作との間で動的に切り替わるように、無線通信システム１００の中で当該キャリアを動作させることである。レガシーモードの動作は、３ＧＰＰのＬＴＥ仕様の例えばリリース８のような、標準化された無線仕様の早期のリリースに準拠する。
【００３２】
非レガシーモードは、３ＧＰＰのＬＴＥ仕様の例えばリリース１０のような、標準化された無線仕様のより最近のリリースに準拠する。また、非レガシーモードは、レガシーモードと後方互換性のない手段で、ｅＮＢでのＤＴＸまたはｅＮＢのスリープについての拡張サポートを備え得る。
【００３３】
以下でより詳細に説明される実施形態の例：
【００３４】
いくつかの実施形態では、セルは、いくつかのコンポーネントキャリアを含む。無線ネットワークノード１１０は、少なくとも１つのコンポーネントキャリアがレガシーモードで動作していることを保証する。これらの実施形態は、図３に関連して説明される。
【００３５】
いくつかの実施形態では、地理的な領域は、いくつかのセル（例えば、マクロセルおよびマイクロセル）により包含される。無線ネットワークノード１１０は、１つのセル（典型的にはマクロセル）からの少なくとも１つのコンポーネントキャリアがレガシーモードで動作していることを保証する。マイクロセルのレガシーモードの動作は、重なり合うマクロセルにより要求されてもよい。これらの実施形態は、図４に関連して説明される。
【００３６】
いくつかのさらなる実施形態では、単一のコンポーネントキャリアを伴うセルが、例えば、予め定義された周期的なまたは擬似乱数の時間パターンに基づいて、レガシーモードと非レガシーモードとの間で継続的に動作を変更する。これらの実施形態は、図５に関連して説明される。
【００３７】
図３は、本ソリューションの第１の実施形態を示す組み合せられた概略的なブロック図およびフローチャートである。これらの実施形態では、無線ネットワークノード１１０は、複数のコンポーネントキャリアを使用し、少なくとも１つのコンポーネントキャリアがレガシーモードで常に動作することを保証する。これは、コンポーネントキャリア上のレガシーモードの動作と非レガシーモードの動作とを動的に切り替えることにより達成される。図３では、２つのコンポーネントキャリア、すなわち、一例として１５ＭＨｚであり得る１つの広いコンポーネントキャリア１４０と、一例として５ＭＨｚであり得る１つの第１のコンポーネントキャリア１５０とが、示されている。方法は、以下のステップにより実行され得る。当該ステップは、以下で説明されるものよりも適した別の順序で同様に実行されてもよい。
【００３８】
ステップ３０１
広いコンポーネントキャリア１４０は、例えば低エネルギーのＤＴＸに用いられ得る非レガシーモードで動作する。第１のコンポーネントキャリア１５０は、レガシーモードで動作する。レガシーモードのみで動作するユーザ機器１２０は、第１のコンポーネントキャリア１５０に入る。
【００３９】
ステップ３０２
非レガシーモードで動作する広いコンポーネントキャリア１４０は、例えば低エネルギーのＤＴＸに用いられ得るレガシーモードに切り替わる。
【００４０】
ステップ３０３
第２のコンポーネントキャリアを必要とするユーザ機器１２０は、現時点ではレガシーモードで動作する広いコンポーネントキャリア１４０へのハンドオーバを実行する。
【００４１】
ステップ３０４
第１のコンポーネントキャリア１５０は、非レガシーモードに切り替わる。このステップはオプションである。切替えるのは、例えばエネルギー効率の観点から新たなフォーマットがより良好であり得るからである。
【００４２】
ステップ３０５
ユーザ機器１２０は、第２のコンポーネントキャリアをもはや必要としない。非レガシーモードで動作する第１のコンポーネントキャリア１５０は、レガシーモードに切り替わる。
【００４３】
ステップ３０６
ユーザ機器１２０は、現時点ではレガシーモードで動作する第１のコンポーネントキャリア１５０へのハンドオーバを実行する。
【００４４】
ステップ３０７
レガシーモードで動作する広いコンポーネントキャリア１４０は、例えば低エネルギーのＤＴＸに用いられ得る非レガシーモードに切り替わる。
【００４５】
図３のようにセル１３５が第１のコンポーネントキャリアおよび第２のコンポーネントキャリアで構成されるいくつかの実施形態では、コンポーネントキャリアのうちの１つ（例えば、第１の帯域のキャリア）が、常にレガシーモードに構成されてもよい。第１のコンポーネントキャリアおよび第２のコンポーネントキャリアは、例えば、広い帯域幅のコンポーネントキャリアおよび狭い帯域幅のコンポーネントキャリアであってもよい。
【００４６】
図４は、本ソリューションの第２の実施形態を示す組み合せられた概略的なブロック図およびフローチャートである。これらの実施形態では、セル１３５は、マイクロセル１５２により表される。当該マイクロセル１３５は、無線ネットワークノード１１０によりサービスを提供される。無線ネットワークノードは、マイクロセルキャリア１５３を使用する。マイクロセル１３５は、示されていないマクロセルキャリアを使用するマクロセル１５５により包含される。当該マクロセル１５５は、第２のネットワークノード１６０によりサービスを提供される。マイクロセル１５２は、傘のようなマクロセル１５５により包含される。マイクロセル１５２にサービスを提供する無線ネットワークノード１１０は、マクロセル１５５にサービスを提供する第２のネットワークノード１６０からの要求に基づいて、例えば低いエネルギーを消費する非レガシーモードとレガシーモードとを動的に切替える。上記方法は、以下のステップにより実行され得る。当該ステップは、以下の説明されるものよりも適した別の順序で同様に実行されてもよい。ステップ４０２および４０５は、オプションである。
【００４７】
ステップ４０１
マイクロセルキャリア１５３は、例えば低エネルギーのＤＴＸに用いられ得る非レガシーモードで動作する。マクロセルキャリアは、レガシーモードで動作する。レガシーモードでのみ動作するユーザ機器１２０は、マクロセルキャリア上のマクロセル１５５に入る。
【００４８】
ステップ４０２
マクロセル１５５にサービスを提供する第２のネットワークノード１６０は、マイクロセル１５２にサービスを提供する無線ネットワークノード１１０にレガシー動作を要求する。
【００４９】
ステップ４０３
非レガシーモードで動作するマイクロセルキャリア１５３は、レガシーモードに切り替わる。
【００５０】
ステップ４０４
ユーザ機器１２０は、マクロセル１５２内で、現時点ではレガシーモードで動作するマイクロセルキャリア１５０へのハンドオーバを実行する。
【００５１】
ステップ４０５
ユーザ機器１２０は、マクロセル１５５内で、レガシーモードで動作するマクロセルキャリアへのハンドオーバを実行する。これは、ユーザ機器１２０がマイクロセル１５２からのサポートをもはや必要としない場合に実行されてもよい。マイクロセルが、閾値を上回るレートでもはや送信していないので、ユーザ機器１２０を追い出すことを望む場合にも、このステップが実行されてもよい。
【００５２】
ステップ４０６
レガシーモードで動作するマイクロセルキャリア１５３は、例えば低エネルギーのＤＴＸに用いられ得る非レガシーモードに切り替わる。
【００５３】
いくつかの実施形態では、カバレッジセルは、典型的にはレガシーモードで動作する必要がある。一方、既にカバレッジがあり、データレートの増加を提供するだけであるセルは、レガシーモードと後方互換性のない非レガシーモードとの間で動的に切り替えることを可能にされてもよい。
【００５４】
例えば基地局でのＤＴＸを伴う、レガシーモードと非レガシーモードとの間の切替えは、図４の中のステップ４０２および４０５において説明されたような、カバレッジセルとキャパシティセルとの間のＸ２通信に基づいてもよい。Ｘ２は、３ＧＰＰによりＬＴＥ仕様の中で定義されるように、近隣基地局間における直接的な論理インターフェースの名称である。
【００５５】
カバレッジセルは、別の無線アクセス技術（ＲＡＴ）セルであることが可能である。例えば、マイクロＬＴＥセルは、レガシーモードの動作がいつ必要とされるかの通知のために、アンブレラＧＳＭセル（umbrella  GSM  cell）上で中継してもよい。
【００５６】
ＬＴＥのケースにおける１つの特定の実施形態では、ＬＴＥ  リリース８のユーザ機器の数が十分に小さい場合に、全てのセル、またアンブレラセル（umbrella  cell）も、リリース８と互換性のないモードで動作する。したがって、本ソリューションは、互換性のない特徴をシステム内に導入するために、例えば１０年間または同程度の期間にのみ必要とされてもよい。しかし、本ソリューションなしには、上記特徴を決して導入することができない。
【００５７】
図５は、本発明の第３の実施形態を示す組み合せられた概略的なブロック図およびフローチャートである。これらの実施形態では、無線ネットワークノード１１０はキャリア１６５を使用する。無線ネットワークノードは、周期的に、または擬似乱数の期間で、非レガシーモードとレガシーモードとの間で動的に切り替わるように、キャリア１６５を動作させる。方法は、以下のステップにより実行され得る。当該ステップは、以下で説明されるものよりも適した別の順序で同様に実行されてもよい。
【００５８】
ステップ５０１
キャリア１６５は、非レガシーモードで動作する。例えば５００ｍｓ毎のように周期的に、または擬似乱数の間隔で、無線ネットワークノード１１０は、キャリアがレガシーモードに切り替わるように当該キャリアを動作させる。
【００５９】
ステップ５０１
例えば５０ｍｓのような、レガシーモードでの期間の後に、無線ネットワークノード１１０は、キャリアが非レガシーモードに切り替わるように当該キャリアを動作させる。
【００６０】
図５に示されるように周期的にまたは擬似乱数でレガシーモードを作動させることにより、セル１３５の届く範囲にあるレガシーユーザ機器１２０および他のレガシーユーザ機器は、セル１３５を見つけることができる。これらの第３の実施形態は、上記のようなアンブレラセルに包含されるキャパシティセルにおいて特に有用である。
【００６１】
いくつかの実施形態では、複数のコンポーネントキャリアのうちの１つのコンポーネントキャリアは、アンカーキャリアである。アンカーキャリアは、１秒あたり１ｍｓ間だけ非レガシーモードに切替わるように動作し、したがって、ほとんどの時間では、レガシーモードで動作する。
【００６２】
「アンカーキャリア」は、３ＧＰＰにより一般に使用される用語である。アンカーキャリアは、ＬＴＥ  リリース１０のための２０ＭＨｚより大きい帯域幅に関する検討で使用される。意味するところは、例えば６０ＭＨｚの帯域幅を伴うＬＴＥ  リリース１０のシステムが求められる場合に、これは３つの２０ＭＨｚの「コンポーネントキャリア」を集約することにより達成される、ということである。「コンポーネントキャリア」のうちの１つのみがリリース８のユーザ機器との後方互換性がある場合に、当該キャリアは「アンカーキャリア」と呼ばれ、他のキャリアは「拡張キャリア」と呼ばれる。
【００６３】
そして、拡張キャリアは、常に、またはほとんどの時間に、非レガシーモードで動作し得る。
【００６４】
いくつかの一般的な実施形態に従った、動的なキャリアモードの切替えのための無線ネットワークノード１１０での方法のステップは、図６の中のフローチャートを参照してここで説明される。上記のように、無線ネットワークノード１１０は、無線通信システムの中に含まれる。無線ネットワークノード１１０は、レガシーモードで動作するように構成され、また非レガシーモードで動作するようにさらに構成される。無線ネットワークノード１１０は、基地局であってもよく、または、無線ネットワークコントローラ若しくは基地局コントローラ等の、基地局に接続されるコントローラノードであってもよい。非レガシーモードは、レガシーモードと後方互換性のない手段で、サービスをサポートし得る。方法は、以下のステップを含む。当該ステップは、以下で説明されるものよりも適した別の順序で同様に実行されてもよい。
【００６５】
ステップ６０１
これはオプションである。無線ネットワークノード１１０は、非レガシーモードで少なくとも１つのキャリアを動作させる。無線ネットワークノード１１０は、レガシーモードで動作するユーザ機器１２０が、無線ネットワークノード１１０によりサービスを提供されている地理的な領域内に存在することを、検出してもよい。このステップが、次のステップ６０２をトリガしてもよい。
【００６６】
ステップ６０２
無線ネットワークノード１１０は、少なくとも１つのキャリアが非レガシーモードからレガシーモードに切り替わるように、当該キャリアを動作させる。非レガシーモードからレガシーモードへの少なくとも１つのキャリアの切替えは、周期的にまたは擬似乱数の間隔で実行されてもよい。
【００６７】
ステップ６０３
このステップでは、キャリアがレガシーモードで動作する場合に、無線ネットワークノード１１０は、レガシーフォーマットに従ってユーザ機器１２０とシグナリングする。ユーザ機器１２０は、レガシーモードで動作するが、非レガシーモードでは動作できない。無線ネットワークノード１１０からの最小限のシグナリングは、例えば、ＬＴＥ  リファレンス８の場合に、プライマリ同期シーケンスまたはセカンダリ同期シーケンス（ＰＳＳ／ＳＳＳ）、ＣＳＲＳおよびブロードバンドチャネル（ＢＣＨ）信号等の、レガシーフォーマットに従った信号であってもよい。
【００６８】
ステップ６０４
無線ネットワークノード１１０は、少なくとも１つのキャリアがレガシーモードから非レガシーモードに切り替わるように、当該キャリアを動作させる（６０４、７１１、８０８）。
【００６９】
ステップ６０５
これはオプションのステップである。いくつかの実施形態では、サービスは、省電力化のための基地局でのＤＴＸにより表される。当該基地局でのＤＴＸは、少なくとも１つのキャリアを非レガシーモードで動作させる場合に実行される。
【００７０】
いくつかの実施形態では、上記少なくとも１つのキャリアは、複数のコンポーネントキャリアにより表される。上記ステップ６０２および６０４は、複数のコンポーネントのキャリアのうちの少なくとも１つのコンポーネントキャリアが常にレガシーモードで動作するように実行されてもよい。
【００７１】
いくつかの特定の実施形態では、複数のコンポーネントキャリアのうちの１つのコンポーネントキャリアが、アンカーキャリアであってもよい。これらの実施形態では、上記ステップ６０２および６０４は、アンカーキャリアがレガシーモードで動作し、１秒あたり１ｍｓ間だけ非レガシーモードに切り替わるように、実行されてもよい。
【００７２】
いくつかの第１の実施形態に従った動的なキャリアモードの切替えのための無線ネットワークノード１１０における方法のステップが、図７に示されるフローチャートを参照してここで説明される。これらの第１の実施形態は、上述した一般的な実施形態の実施形態であり、図３を参照して説明された第１の実施形態に関連する。したがって、全てのステップ７０１−７１１をオプションのステップとして見ることができる。これらの第１の実施形態では、無線ネットワークノード１１０は、第１の帯域幅のコンポーネントキャリアおよび第２のコンポーネントキャリアを含む複数のコンポーネントキャリアを使用する。第１のコンポーネントキャリアおよび第２のコンポーネントキャリアは、例えば、広い帯域幅のコンポーネントキャリアおよび狭い帯域幅のコンポーネントキャリアであってもよい。いくつかの実施形態によると、複数のコンポーネントキャリアは、全て同じ帯域幅のいくつかのコンポーネントキャリアを含む。当該いくつかのコンポーネントキャリアは、１つのコンポーネントキャリアがレガシーモードであることから、全てのコンポーネントキャリアがレガシーモードであることへ、切り替えられてもよい。
【００７３】
上記のように、無線ネットワークノード１１０は、無線通信システムの中に含まれる。無線ネットワークノード１１０は、レガシーモードで動作するように構成され、また非レガシーモードで動作するようにさらに構成される。無線ネットワークノード１１０は、基地局であってもよく、または、無線ネットワークコントローラ若しくは基地局コントローラ等の、基地局に接続されるコントローラノードであってもよい。非レガシーモードは、レガシーモードと後方互換性のない手段でサービスをサポートし得る。方法は、以下のステップを含む。当該ステップは、以下で説明されるものよりも適した別の順序で同様に実行されてもよい。
【００７４】
ステップ７０１
無線ネットワークノード１１０は、第１の帯域幅のコンポーネントキャリアをレガシーモードで動作させる。
【００７５】
ステップ７０２
無線ネットワークノード１１０は、第２のコンポーネントキャリアを非レガシーモードで動作させる。
【００７６】
ステップ７０３
無線ネットワークノード１１０は、レガシーモードで動作する第１の帯域幅のコンポーネントキャリアにユーザ機器１２０が入ることを検出する。ユーザ機器１２０は、レガシーモードで動作するが、非レガシーモードで動作できない。
【００７７】
ステップ７０４
これらの第１の実施形態では、ステップ６０２に対応する、少なくとも１つのキャリアが非レガシーモードからレガシーモードに切り替わるように当該キャリアを動作させるこのステップは、第２のコンポーネントキャリアがレガシーモードに切り替わるように当該第２のコンポーネントキャリアを動作させることにより実行される。
【００７８】
ステップ７０５
これはオプションのステップである。無線ネットワークノード１１０は、第１の帯域幅のコンポーネントキャリアが非レガシーモードに切り替わるように、当該第１の帯域幅のコンポーネントキャリアを動作させる。
【００７９】
ステップ７０６
そして、無線ネットワークノード１１０は、第１のコンポーネントキャリアから非レガシーモードで動作する第２のコンポーネントキャリアへのハンドオーバをユーザ機器１２０が実行するようにユーザ機器１２０にサービスを提供する。
【００８０】
ステップ７０７
このステップでは、キャリアがレガシーモードで動作する場合に、無線ネットワークノード１１０は、レガシーフォーマットに従ってユーザ機器１２０とシグナリングする。このステップは、ステップ６０３に対応する。
【００８１】
ステップ７０８
無線ネットワークノード１１０は、ユーザ機器１２０が第２のコンポーネントキャリアの使用をもはや必要としないことを検出する。これは、例えば、無線ネットワークノード１１０が、ユーザ機器１２０に対応するデータバッファの長さが所定の期間に閾値を下回ったままであったことを検出することにより、実行される。
【００８２】
ステップ７０９
無線ネットワークノード１１０は、第１の帯域幅のコンポーネントキャリアがレガシーモードに切り替わるように、当該第１の帯域幅のコンポーネントキャリアを動作させる。
【００８３】
ステップ７１０
そして、無線ネットワークノード１１０は、第２のコンポーネントキャリアから第１の帯域幅のコンポーネントキャリアへのハンドオーバをユーザ機器１２０が実行するように、ユーザ機器１２０にサービスを提供する。
【００８４】
ステップ７１１
これらの第１の実施形態では、ステップ６０４に対応する、少なくとも１つのキャリアがレガシーモードから非レガシーモードに切り替わるように当該キャリアを動作させるこのステップは、第２のコンポーネントキャリアが非レガシーモードに切り替わるように当該第２のコンポーネントキャリアを動作させることにより実行される。
【００８５】
また、これらの第１の実施形態では、サービスは、省電力化のための基地局でのＤＴＸにより表されてもよい。当該ＤＴＸは、第２のコンポーネントキャリアおよび／または第１の帯域幅のコンポーネントキャリアを非レガシーモードで動作させる場合に実行されてもよい。
【００８６】
いくつかの第２の実施形態に従った動的なキャリアモードの切替えのための無線ネットワークノード１１０における方法のステップが、図８に示されるフローチャートを参照してここで説明される。これらの第２の実施形態は、上述した一般的な実施形態の実施形態であり、図４を参照して説明された第２の実施形態に関連する。したがって、全てのステップ８０１−８０８をオプションのステップとして見ることができる。これらの第２の実施形態では、無線ネットワークノード１１０は、マイクロセル１５２にサービスを提供する。当該マイクロセル１５２は、マクロセル１５５により包含される。上記のように、無線ネットワークノード１１０は、無線通信システムの中に含まれる。無線ネットワークノード１１０は、レガシーモードで動作するように構成され、また非レガシーモードで動作するようにさらに構成される。無線ネットワークノード１１０は、基地局であってもよく、または、無線ネットワークコントローラ若しくは基地局コントローラ等の、基地局に接続されるコントローラノードであってもよい。非レガシーモードは、レガシーモードと後方互換性のない手段でサービスをサポートし得る。方法は、以下のステップを含む。当該ステップは、以下で説明されるものよりも適した別の順序で同様に実行されてもよい。
【００８７】
ステップ８０１
無線ネットワークノード１１０は、マイクロセル１５２内の少なくとも１つのコンポーネントキャリアを非レガシーモードで動作させる。
【００８８】
ステップ８０２
無線ネットワークノード１１０は、ユーザ機器１２０がマクロセル１５５内のキャリアに入るという情報を取得し、またはユーザ機器１２０がマクロセル１５５内のキャリアに入ることを検出してもよい。ユーザ機器１２０は、レガシーモードで動作するが、非レガシーモードで動作できない。このステップは、マクロセル１５５にサービスを提供する第２のネットワークノード１６０からの要求を受信することにより、実行されてもよい。要求は、マイクロセル１５２にレガシー動作を求める。
【００８９】
ステップ８０３
これらの第２の実施形態では、ステップ６０２に対応する、少なくとも１つのキャリアが非レガシーモードからレガシーモードに切り替わるように当該キャリアを動作させるこのステップは、マイクロセル内の少なくとも１つのコンポーネントキャリアが非レガシーモードからレガシーモードに切り替わるように、当該コンポーネントキャリアを動作させることにより実行される。非レガシーモードからレガシーモードへの切替えは、周期的に、または擬似乱数の間隔で、実行されてもよい。
【００９０】
ステップ８０４
無線ネットワークノード１１０は、マクロセル１５５から、レガシーモードに切り替えられたマイクロセル１５２へのハンドオーバを、ユーザ機器１２０が実行するように、ユーザ機器１２０にサービスを提供する。
【００９１】
ステップ８０５
このステップでは、マイクロセルキャリア１５３がレガシーモードで動作する場合に、無線ネットワークノード１１０は、レガシーフォーマットに従ってユーザ機器１２０とシグナリングする。このステップは、ステップ６０３に対応する。
【００９２】
ステップ８０６
無線ネットワークノード１１０は、ユーザ機器１２０がマイクロセルからのサポートをもはや必要としないことを検出する。これは、例えば、無線ネットワークノード１１０が、マイクロセル１５２を制御し、ユーザ機器１２０に対応するデータバッファが空でありまたはほとんどの時間でほとんど空であることを検出することにより、実行される。
【００９３】
ステップ８０７
そして、無線ネットワークノード１１０は、マイクロセル１５２からマクロセル１５５へのハンドオーバをユーザ機器１２０が実行するように、ユーザ機器１２０にサービスを提供する。
【００９４】
ステップ８０８
これらの第２の実施形態では、ステップ６０４に対応する、少なくとも１つのキャリアがレガシーモードから非レガシーモードに切り替わるように当該キャリアを動作させるこのステップは、マイクロセル内の少なくとも１つのコンポーネントキャリアがレガシーモードから非レガシーモードに切り替わるように当該コンポーネントキャリアを動作させることにより、実行される。
【００９５】
また、これらの第２の実施形態では、サービスは、省電力化のための基地局でのＤＴＸにより表されてもよい。当該基地局でのＤＴＸは、マイクロセルキャリアを非レガシーモードで動作させる場合に実行されてもよい。
【００９６】
図５を参照して上述したいくつかの第３の実施形態によれば、マイクロセルキャリア１５３を非レガシーモードからレガシーモードに周期的にまたは擬似乱数で切り替えることにより、セル１３５の届く範囲にあるレガシーユーザ機器１２０および他のレガシーユーザ機器は、セル１３５を見つけることができる。これらの第３の実施形態は、上記のようにアンブレラセルに包含されるキャパシティセル内で特に有用である。
【００９７】
動的なキャリアモードの切り替えのための上記方法のステップを実行するために、無線ネットワークノード１１０は、図９の中に示される構成９００を備える。上記のように、無線ネットワークノード１１０は、無線通信システムの中に含まれる。無線ネットワークノード１１０は、レガシーモードで動作するように構成され、非レガシーモードで動作するようにさらに構成される。
【００９８】
いくつかの実施形態では、無線ネットワークノード１１０は、基地局であってもよく、または、無線ネットワークコントローラ若しくは基地局コントローラ等の、基地局に接続されるコントローラノードであってもよい。
【００９９】
無線ネットワークノードの構成９００は、少なくとも１つのキャリアが非レガシーモードからレガシーモードに切り替わるように当該キャリアを動作させるように構成される動作部９１０を備える。
【０１００】
いくつかの実施形態では、非レガシーモードは、レガシーモードと後方互換性のない手段でサービスをサポートする。サービスは、省電力化のための基地局でのＤＴＸを含んでもよい。当該基地局でのＤＴＸは、少なくとも１つのキャリアが非レガシーモードで動作する場合に、動作部９１０により実行されてもよい。
【０１０１】
動作部９１０は、少なくとも１つのキャリアがレガシーモードから非レガシーモードに切り替わるように当該キャリアを動作させるようにさらに構成される。
【０１０２】
非レガシーモードからレガシーモードへの少なくとも１つのキャリアの切替えは、周期的に、または擬似乱数の間隔で、実行されてもよい。
【０１０３】
無線ネットワークノードの構成９００は、キャリアをレガシーモードで動作させる場合にレガシーフォーマットに従ってユーザ機器１２０とシグナリングするように構成されるシグナリング部９２０、をさらに備えてもよい。ユーザ機器１２０は、レガシーモードで動作するが、非レガシーモードで動作できない。
【０１０４】
無線ネットワークノードの構成９００は、少なくとも１つのキャリアを非レガシーモードで動作させる場合に、無線ネットワークノード１１０によりサービスを提供されている地理的な領域内にレガシーモードで動作するユーザ機器１２０が存在することを検出するように構成される検出部９３０、をさらに備えてもよい。上記検出は、動作部９１０が、少なくとも１つのキャリアが非レガシーモードからレガシーモードに切り替わるように当該キャリアを動作させるための、トリガであってもよい。
【０１０５】
いくつかの実施形態では、上記少なくとも１つのキャリアは、複数のコンポーネントキャリアにより表される。また、動作部９１０は、アンカーキャリアが、レガシーモードで動作し、１秒あたり１ｍｓ間だけ非レガシーモードへ切り替えられるように、上記複数のコンポーネントキャリアのうちの少なくとも１つが非レガシーモードからレガシーモードに切り替わるように上記複数のコンポーネントキャリアを動作させ、また上記複数のコンポーネントキャリアのうちの少なくとも１つがレガシーモードから非レガシーモードに切り替わるように上記複数のコンポーネントキャリアの各々を動作させるように、さらに構成される。
【０１０６】
いくつかの他の実施形態では、上記少なくとも１つのキャリアは、複数のコンポーネントキャリアにより表される。これらの実施形態では、動作部９１０は、上記複数のコンポーネントキャリアのうちの少なくとも１つのコンポーネントキャリアが常にレガシーモードで動作するように、上記複数のコンポーネントキャリアのうちの少なくとも１つが非レガシーモードからレガシーモードに切り替わるように上記複数のコンポーネントキャリアを動作させ、また上記複数のコンポーネントキャリアのうちの少なくとも１つがレガシーモードから非レガシーモードに切り替わるように上記複数のコンポーネントキャリアの各々を動作させるように、さらに構成されてもよい。
【０１０７】
いくつかの実施形態では、複数のコンポーネントキャリアは、例えば広い帯域幅のコンポーネントキャリアおよび狭い帯域幅のコンポーネントキャリアのような、第１の帯域幅のコンポーネントキャリアおよび第２のコンポーネントキャリアを含む。
【０１０８】
これらの実施形態では、動作部９１０は、第１の帯域幅のコンポーネントキャリアをレガシーモードで動作させ、第２のコンポーネントキャリアを非レガシーモードで動作させるように、さらに構成される。これらの実施形態では、検出部９３０は、レガシーモードで動作する第１の帯域幅のコンポーネントキャリアにユーザ機器１２０が入ることを検出するようにさらに構成されてもよい。これらの実施形態では、動作部９１０は、第２のコンポーネントキャリアがレガシーモードに切り替わるように当該キャリアを動作させることによって、少なくとも１つのキャリアが非レガシーモードからレガシーモードに切り替わるように当該キャリアの動作を実行するように、さらに構成されてもよい。
【０１０９】
無線ネットワークノードの構成９００は、第１のコンポーネントキャリアから、レガシーモードに切替えられた第２のコンポーネントキャリアへのハンドオーバを、ユーザ機器１２０が実行するように、ユーザ機器１２０にサービスを提供する、ように構成されるサービス提供部９４０を、さらに備えてもよい。サービス提供部９４０は、ユーザ機器１２０が第２のコンポーネントキャリアから第１の帯域幅のコンポーネントキャリアへのハンドオーバを実行するようにユーザ機器１２０にサービスを提供するようにさらに構成されてもよい。
【０１１０】
動作部９１０は、ハンドオーバを実行するユーザ機器１２０にサービスを提供した後に、第１の帯域幅のコンポーネントキャリアが非レガシーモードに切り替わるように当該第１の帯域幅のコンポーネントキャリアを動作させるように、さらに構成されてもよい。
【０１１１】
検出部９３０は、ユーザ機器１２０が第２のコンポーネントキャリアをもはや必要としないことを検出するようにさらに構成されてもよい。動作部９１０は、第１の帯域幅のコンポーネントキャリアがレガシーモードに切り替わるように当該第１の帯域幅のコンポーネントキャリアを動作させるようにさらに構成されてもよい。
【０１１２】
動作部９１０は、第２のコンポーネントキャリアが非レガシーモードに切り替わるように当該第２のコンポーネントキャリアを動作させるようにさらに構成されてもよい。
【０１１３】
いくつかの実施形態では、無線ネットワークノード１１０は、マイクロセル１５２にサービスを提供し、当該マイクロセル１５２は、マクロセル１５５により包含される。
【０１１４】
これらの実施形態では、動作部９１０は、マイクロセル１５２内の少なくとも１つのコンポーネントキャリアを非レガシーモードで動作させるようにさらに構成されてもよい。また、動作部９１０は、マイクロセル内の少なくとも１つのコンポーネントキャリアが非レガシーモードからレガシーモードに切り替わるように当該コンポーネントキャリアを動作させるようにさらに構成されてもよい。動作部９１０は、マイクロセル内の少なくとも１つのコンポーネントキャリアがレガシーモードから非レガシーモードに切り替わるように当該コンポーネントキャリアを動作させるようにさらに構成されてもよい。
【０１１５】
検出部９３０は、ユーザ機器１２０がマクロセル１５５内のキャリアに入るという情報を取得し、またはユーザ機器１２０が前記マクロセル１５５内のキャリアに入ることを検出するようにさらに構成されてもよい。検出部９３０は、マクロセル１５５にサービスを提供する第２のネットワークノード１６０からの要求を受信することによって、ユーザ機器１２０がマクロセル１５５内のキャリアに入るという上記情報を取得するように、さらに構成されてもよい。上記要求は、マイクロセル１３５にレガシー動作を求める。検出部９３０は、ユーザ機器１２０がマイクロセルからのサポートをもはや必要としないことを検出するようにさらに構成されてもよい。
【０１１６】
サービス提供部９４０は、マクロセル１５５から、レガシーモードに切り替えられたマイクロセル１５２へのハンドオーバを、ユーザ機器１２０が実行するように、ユーザ機器１２０にサービスを提供するように、さらに構成されてもよい。サービス提供部９４０は、ユーザ機器１２０がマイクロセル１５２からマクロセル１５５へのハンドオーバを実行するようにユーザ機器１２０にサービスを提供するようにさらに構成されてもよい。
【０１１７】
動的なキャリアモードの切替えのための上記についての本メカニズムは、図９に示される無線ネットワークの構成９００の中のプロセッサ９５０のような１つ以上のプロセッサ、および本ソリューションの機能を実行するためのコンピュータプログラムコードを通して、実装され得る。上記プログラムコードは、また、例えば、無線ネットワークノード１１０内に読み込まれる場合に本ソリューションを実行するためのコンピュータプログラムコードを搬送するデータキャリアの形で、コンピュータプログラム製品（computer  program  product）として提供されてもよい。１つの当該キャリアは、ＣＤ  ＲＯＭディスクの形であってもよい。しかしながら、データキャリアは、メモリスティック等の他のデータキャリアで実現可能である。コンピュータプログラムコードは、さらに、サーバ上で純粋なプログラムコードとして提供され、無線ネットワークノード１１０に遠隔でダウンロードされることが可能である。
【０１１８】
単語「を含む（comprise）」または「を含む（comprising）」を使用する場合には、当該単号は、限定しないように、すなわち「の少なくとも１つからなる（consist  at  least  of）」を意味するように解釈されるべきである。
【０１１９】
本発明は、上記好適な実施形態に限定されない。様々な代替手段、改良されたもの、および等価なものが、使用されてもよい。したがって、上記実施形態は、本発明の範囲を限定するように受け取られるべきではない。本発明の範囲は、添付の特許請求の範囲により定義される。
【図１】
0005555312.tif 000002
【図２】
0005555312.tif 000003
【図３】
0005555312.tif 000004
【図４】
0005555312.tif 000005
【図５】
0005555312.tif 000006
【図６】
0005555312.tif 000007
【図７】
0005555312.tif 000008
【図８】
0005555312.tif 000009
【図９】
0005555312.tif 000010